(57)【要約】【課題】書き込み不良が発生し易くなっているかどうかの把握を容易なものとする。【解決手段】光ディスク１１にデータを記録するとともに光ディスク１１に記録されたデータを再生する書読制御手段１５と、光ディスク１１のフォーマットを行うフォーマット手段１６とを備え、書読制御手段１５は、フォーマットされた光ディスク１１に書き換え用のデータを記録する構成において、フォーマット手段１６が光ディスク１１のフォーマットを行う毎に、光ディスク１１の所定領域に設けられたフォーマットカウンタの値を更新するカウンタ更新手段１７を備えている。【選択図】図１
2006085760.tif 000002
【特許請求の範囲】
【請求項１】
ＤＶＤにデータの記録を行うとともにＤＶＤに記録されたデータの読み出しを行うディスクドライブ部と、
ディスクドライブ部を制御することによって、ＤＶＤにデータを記録するとともにＤＶＤに記録されたデータの再生を行う書読制御手段と、
ディスクドライブ部を制御することによってＤＶＤのフォーマットを行うフォーマット手段とを備え、
書読制御手段はフォーマットされたＤＶＤに書き換え用のデータを記録する光ディスク装置において、
フォーマット制御手段がＤＶＤのフォーマットを行う毎に、ＲＭＡに記録されるＲＭＤの領域であって、ＤＶＤの規格において未定義となっている領域に設けられたフォーマットカウンタの値を更新するカウンタ更新手段と、
タイトルや記録日時等の、ＤＶＤに記録されたデータの記録内容を示す情報を表示装置に表示するとき、および、ＤＶＤへのデータの記録となるときには、装置本体の前面パネルに設けられた表示器と前記表示装置とにフォーマットカウンタの値を表示するとともに、ＤＶＤの書き換え可能回数とフォーマットカウンタの値との比率に基づいて、ＤＶＤの交換の目安を示すメッセージを前記表示装置に表示する情報表示手段とを備えたことを特徴とする光ディスク装置。
【請求項２】
光ディスクにデータの記録を行うとともに光ディスクに記録されたデータの読み出しを行うディスクドライブ部と、
ディスクドライブ部を制御することによって、光ディスクにデータを記録するとともに光ディスクに記録されたデータの再生を行う書読制御手段と、
ディスクドライブ部を制御することによって光ディスクのフォーマットを行うフォーマット手段とを備え、
書読制御手段は、フォーマットされた光ディスクに書き換え用のデータを記録する光ディスク装置において、
フォーマット手段が光ディスクのフォーマットを行う毎に、光ディスクの所定領域に設けられたフォーマットカウンタの値を更新するカウンタ更新手段を備えたことを特徴とする光ディスク装置。
【請求項３】
タイトルや記録日時等の、光ディスクに記録されたデータの記録内容を示す情報を表示装置に表示するときには、前記表示装置にフォーマットカウンタの値を表示する情報表示手段を備えたことを特徴とする請求項２に記載の光ディスク装置。
【請求項４】
情報表示手段は、光ディスクへのデータの記録となるときには前記表示装置にフォーマットカウンタの値を表示することを特徴とする請求項３に記載の光ディスク装置。
【請求項５】
情報表示手段は、前記表示装置にフォーマットカウンタの値を表示するときには、光ディスクの書き換え可能回数とフォーマットカウンタの値との比率に基づいて、光ディスクの交換の目安を示すメッセージを表示することを特徴とする請求項３または請求項４に記載の光ディスク装置。
【請求項６】
情報表示手段は、光ディスクへのデータの記録となるときには装置本体の前面パネルに設けられた表示器にフォーマットカウンタの値を表示することを特徴とする請求項３から請求項５までのいずれかに記載の光ディスク装置。
【発明の詳細な説明】
【技術分野】
【０００１】
本発明は、データの書き換えとなるときにはフォーマットされた光ディスクに書き換え用のデータを記録する光ディスク装置に係り、より詳細には、光ディスクのフォーマットを行う毎に、光ディスクの所定領域に設けられたフォーマットカウンタの値を更新する光ディスク装置に関するものである。
【背景技術】
【０００２】
データの書き換えが可能であるＤＶＤ−ＲＷにおいては、データの追記は可能になっているが、既に書き込みされたデータの任意の部分の消去を行うことはできない。従って、書き込みされたデータの書き換えが必要となるときでは、ＤＶＤ−ＲＷのフォーマットを行うことによってＤＶＤ−ＲＷの全データを消去した後、書き換え用のデータをＤＶＤ−ＲＷに書き込むようになっている。すなわち、データの書き換えを行うときでは、フォーマットをした後において、新たにデータを書き込むという方法が用いられている。一方、ＤＶＤ−ＲＷ等の光ディスクには書き換え可能な回数に制限があり、制限回数を超えて書き換えを行うときには、書き込み不良が頻繁に発生する。このため、従来では、ＤＶＤ−ＲＷへの書き込み不良の発生率が高くなると、ＤＶＤ−ＲＷの書き換えの寿命がつきたとして、新しいＤＶＤ−ＲＷと交換していた（第１の従来技術とする）。
【０００３】
また、以下に示す技術が提案されている（第２の従来技術とする）。すなわち、この技術においては、貯蔵媒体に、データ記録領域と、データ記録領域にデータが書き込まれる都度、所定の記録／再生装置により前記データが認識可能に前記データの関連情報が追記されるタイトル検索情報領域とを設けている。このため、ファイナライズ処理を行った後にも、残った容量部分にデータを追記することが可能になっている（例えば、特許文献１参照）。
【０００４】
また、以下に示す技術が提案されている（第３の従来技術とする）。すなわち、この技術において、パワーキャリブレーション実施後、パワーキャリブレーションを実施した先頭アドレスから内周側にかけて一定の区間を消去して未記録領域を作成することにより、次回にパワーキャリブレーションを実施する領域に対してマークを付けている。このため、パワーキャリブレーション領域を使い切った後にも、パワーキャリブレーション領域内の特定の領域のみの使用回数の増大が回避され、パワーキャリブレーション領域を均一に使用することが可能になっている（例えば、特許文献２参照）。
【０００５】
また、以下に示す技術が提案されている（第４の従来技術とする）。すなわち、この技術においては、光ディスクの光学位相差の検出値に基づいて、情報の記録を行うときの最適記録パワーの算出値を修正するか、もしくは情報を記録している状態での記録パワーの目標値を修正している。このため、光ディスクの光学位相差による検出光量の低下によって生じる記録パワーの設定値と記録パワーの制御誤差とが修正されるので、高精度な情報記録が可能になっている（例えば、特許文献３参照）。
【特許文献１】特開２００３−２６３８６０号公報
【特許文献２】特開２００３−２７２１５７号公報
【特許文献３】特開２００４−１９２６７９号公報
【発明の開示】
【発明が解決しようとする課題】
【０００６】
しかしながら、第１の従来技術を用いる場合には、書き込み不良がたびたび生じるようになったとき、ＤＶＤ−ＲＷの書き込みの寿命が尽きていることが知れるに過ぎない。その結果、書き込みするデータが、例えば、商用放送の番組等のように、再度の書き込みを行うことができないデータとなるときでは、データをＤＶＤ−ＲＷに保存し損なうことになる。このため、書き込み不良が発生する前に、書き込み不良の発生が生じ易い状態となっていることを示すことのできる手段が求められていた。
【０００７】
第２の従来技術は、ファイナライズ処理を行った後にも、残った容量部分にデータを追記可能にする技術となっているので、第１の従来技術において生じた問題、すなわち、書き換えの寿命がつきかけていることが原因となって、書き込み不良の発生が生じ易い状態となっていることを、書き込み不良が発生する前に示すという観点からする場合には、適用することが困難な技術となっている。
【０００８】
第３の従来技術は、パワーキャリブレーション領域を使い切った後にも、パワーキャリブレーション領域内の特定の領域のみの使用回数が増大することを回避し、パワーキャリブレーション領域を均一に使用するための技術となっているので、第１の従来技術において生じた問題、すなわち、書き換えの寿命がつきかけていることが原因となって、書き込み不良の発生が生じ易い状態となっていることを、書き込み不良が発生する前に示すという観点からする場合には、適用することが困難な技術となっている。
【０００９】
第４の従来技術は、光ディスクの光学位相差による検出光量の低下によって生じる記録パワーの設定値と記録パワーの制御誤差とを修正して、高精度な情報記録方式を得るための技術となっているので、第１の従来技術において生じた問題、すなわち、書き換えの寿命がつきかけていることが原因となって、書き込み不良の発生が生じ易い状態となっていることを、書き込み不良が発生する前に示すという観点からする場合には、適用することが困難な技術となっている。
【００１０】
本発明は、上記の問題点を解決するため創案されたものであり、その目的は、書き込み不良が発生し易くなっているかどうかの把握を容易なものとすることのでき、且つ、書き込み不良が発生し易くなっているかどうかの目安となるフォーマット回数への注目をユーザに促すことのでき、且つ、光ディスクの交換の時期の把握を容易なものとすることのでき、且つ、専用のコマンドを設けることなく、フォーマットの回数を示すカウンタの光ディスクへの記録や光ディスクからの読み出しを可能とすることのできる光ディスク装置を提供することにある。
【００１１】
また、本発明の目的は、フォーマット手段が光ディスクのフォーマットを行う毎に、光ディスクの所定領域に設けられたフォーマットカウンタの値を更新することによって、フォーマット回数を知ることを可能とすることにより、書き込み不良が発生し易くなっているかどうかの把握を容易なものとすることのできる光ディスク装置を提供することにある。
【００１２】
また、上記目的に加え、タイトルや記録日時等の、記録内容を示す情報を表示装置に表示するときには、併せて、フォーマットの回数も表示することにより、書き込み不良が発生し易くなっているかどうかの目安となるフォーマット回数への注目をユーザに促すことのできる光ディスク装置を提供することにある。
【００１３】
また、上記目的に加え、データの記録となるときには、フォーマット回数を表示することにより、光ディスクへのデータの記録となるときに、書き込み不良が発生し易くなっているかどうかの目安となるフォーマット回数への注目をユーザに促すことのできる光ディスク装置を提供することにある。
【００１４】
また、上記目的に加え、光ディスクの書き換え可能回数とフォーマットカウンタの値との比率に基づいて、光ディスクの交換の目安を示すメッセージを表示することにより、光ディスクの交換の時期の把握を容易なものとすることのできる光ディスク装置を提供することにある。
【００１５】
また、上記目的に加え、光ディスクへのデータの記録となるときには、装置本体の前面パネルに設けられた表示器にフォーマットカウンタの値を表示することにより、フォーマット回数への注目を好適に促すことのできる光ディスク装置を提供することにある。
【課題を解決するための手段】
【００１６】
上記の課題を解決するため、本発明に係る光ディスク装置は、ＤＶＤにデータの記録を行うとともにＤＶＤに記録されたデータの読み出しを行うディスクドライブ部と、ディスクドライブ部を制御することによって、ＤＶＤにデータを記録するとともにＤＶＤに記録されたデータの再生を行う書読制御手段と、ディスクドライブ部を制御することによってＤＶＤのフォーマットを行うフォーマット手段とを備え、書読制御手段はフォーマットされたＤＶＤに書き換え用のデータを記録する光ディスク装置に適用している。そして、フォーマット制御手段がＤＶＤのフォーマットを行う毎に、ＲＭＡに記録されるＲＭＤの領域であって、ＤＶＤの規格において未定義となっている領域に設けられたフォーマットカウンタの値を更新するカウンタ更新手段と、タイトルや記録日時等の、ＤＶＤに記録されたデータの記録内容を示す情報を表示装置に表示するとき、および、ＤＶＤへのデータの記録となるときには、装置本体の前面パネルに設けられた表示器と前記表示装置とにフォーマットカウンタの値を表示するとともに、ＤＶＤの書き換え可能回数とフォーマットカウンタの値との比率に基づいて、ＤＶＤの交換の目安を示すメッセージを前記表示装置に表示する情報表示手段とを備えている。
【００１７】
すなわち、ＤＶＤのＲＭＡに記録されるＲＭＤに設けられたフォーマットカウンタの値によってフォーマットの回数を知ることができる。また、ＤＶＤの記録内容を示す情報を表示させたときには、同時に、フォーマットカウンタの値が表示される。また、ＤＶＤにデータ（映像音声情報）を記録するときでは、装置本体の前面パネルに設けられた表示器と映像を表示する表示装置との双方にフォーマットカウンタの値が表示される。また、ＤＶＤの交換が必要かどうかが、表示装置に表示されたメッセージによって示される。
【００１８】
また、本発明に係る光ディスク装置は、光ディスクにデータの記録を行うとともに光ディスクに記録されたデータの読み出しを行うディスクドライブ部と、ディスクドライブ部を制御することによって、光ディスクにデータを記録するとともに光ディスクに記録されたデータの再生を行う書読制御手段と、ディスクドライブ部を制御することによって光ディスクのフォーマットを行うフォーマット手段とを備え、書読制御手段は、フォーマットされた光ディスクに書き換え用のデータを記録する光ディスク装置に適用している。そして、フォーマット手段が光ディスクのフォーマットを行う毎に、光ディスクの所定領域に設けられたフォーマットカウンタの値を更新するカウンタ更新手段を備えている。すなわち、光ディスクの所定領域に設けられたフォーマットカウンタの値によってフォーマットの回数を知ることができる。
【００１９】
また、上記構成に加え、タイトルや記録日時等の、光ディスクに記録されたデータの記録内容を示す情報を表示装置に表示するときには、前記表示装置にフォーマットカウンタの値を表示する情報表示手段を備えている。すなわち、光ディスクの記録内容を示す情報を表示装置に表示させたときには、同時に、フォーマットカウンタの値が表示される。
【００２０】
また、上記構成に加え、情報表示手段は、光ディスクへのデータの記録となるときには、前記表示装置にフォーマットカウンタの値を表示する。すなわち、光ディスクにデータ（映像音声情報）を記録するときでは、表示装置にフォーマットカウンタの値が表示される。
【００２１】
また、上記構成に加え、情報表示手段は、前記表示装置にフォーマットカウンタの値を表示するときには、光ディスクの書き換え可能回数とフォーマットカウンタの値との比率に基づいて、光ディスクの交換の目安を示すメッセージを表示する。すなわち、光ディスクの交換が必要かどうかが、表示装置に表示されたメッセージによって示される。
【００２２】
また、上記構成に加え、情報表示手段は、光ディスクへのデータの記録となるときには、装置本体の前面パネルに設けられた表示器にフォーマットカウンタの値を表示する。すなわち、光ディスクにデータ（映像音声情報）を記録するときには、装置本体の前面パネルに設けられた表示器において、フォーマットカウンタの値が示される。
【発明の効果】
【００２３】
本発明によれば、ＤＶＤのＲＭＡに記録されるＲＭＤに設けられたフォーマットカウンタの値によってフォーマットの回数を知ることができる。また、ＤＶＤの記録内容を示す情報を表示させたときには、同時に、フォーマットカウンタの値が表示される。また、ＤＶＤにデータ（映像音声情報）を記録するときでは、装置本体の前面パネルに設けられた表示器と映像を表示する表示装置とにフォーマットカウンタの値が表示される。また、ＤＶＤの交換が必要かどうかが、表示装置に表示されたメッセージによって示される。このため、書き込み不良が発生し易くなっているかどうかの把握を容易なものとすることができ、且つ、書き込み不良が発生し易くなっているかどうかの目安となるフォーマット回数への注目をユーザに促すことができ、且つ、ＤＶＤの交換の時期の把握を容易なものとすることができ、且つ、専用のコマンドを設けることなく、フォーマット回数を示すカウンタのＤＶＤへの記録やＤＶＤからの読み出しを可能とすることができる。
【００２４】
また、本発明によれば、光ディスクの所定領域に設けられたフォーマットカウンタの値によってフォーマットの回数を知ることができるので、書き込み不良が発生し易くなっているかどうかの把握を容易なものとすることができる。
【００２５】
また、さらに、光ディスクの記録内容を示す情報を表示装置に表示させたときには、同時に、フォーマットカウンタの値が表示されるので、書き込み不良が発生し易くなっているかどうかの目安となるフォーマット回数への注目をユーザに促すことができる。
【００２６】
また、さらに、光ディスクにデータ（映像音声情報）を記録するときでは、表示装置にフォーマットカウンタの値が表示されるので、書き込み不良が発生し易くなっているかどうかの目安となるフォーマット回数への注目をユーザに促すことができる。
【００２７】
また、さらに、光ディスクの交換が必要かどうかが、表示装置に表示されたメッセージによって示されるので、光ディスクの交換の時期の把握を容易なものとすることができる。
【００２８】
また、さらに、光ディスクにデータ（映像音声情報）を記録するときには、装置本体の前面パネルに設けられた表示器において、フォーマットカウンタの値が示されるので、フォーマット回数への注目を好適に促すことができる。
【発明を実施するための最良の形態】
【００２９】
以下、本発明の実施の形態について図を参照して説明する。
【００３０】
図１は、本発明に係る光ディスク装置の一実施形態の電気的構成を示すブロック線図であり、具体的には、ＤＶＤレコーダを示している。図２は、装置本体の前面の様子を示す説明図である。
【００３１】
図において、チューナ部１は、マイクロコンピュータ（以下では、マイコンと称する）７から指示されたチャンネルの商用放送を受信するとともに、受信して得られたアナログ映像信号をＡ／Ｄ変換部２に出力する。Ａ／Ｄ変換部２は、チューナ部１から出力されるアナログ映像信号をデジタル映像信号に変換し、録再信号処理部３に出力する。Ｄ／Ａ変換部４は、録再信号処理部３より出力されるデジタル映像信号をアナログ映像信号に変換し、外部に設けられたテレビ受像機（請求項記載の表示装置）１９に出力する。
【００３２】
ディスクドライブ部５は、録再信号処理部３より出力される圧縮映像音声情報に対して符号化等の処理を行うことにより得られたデータをＤＶＤ（請求項記載の光ディスクであり、例えば、ＤＶＤ−ＲＷ等）１１に記録する。また、ＤＶＤ１１に記録されたデータを読み出し、復調とエラー訂正等の処理を行って得られた圧縮映像音声情報を録再信号処理部３に出力する。
【００３３】
録再信号処理部３は、Ａ／Ｄ変換部２から出力された映像音声情報をＭＰＥＧ２に従って圧縮処理する。そして後、圧縮処理して得られた圧縮映像音声情報をディスクドライブ部５に出力する。また、ディスクドライブ部５より出力される圧縮映像音声情報をＭＰＥＧ２に従って伸長処理する。そして、伸長処理により得られたデジタル映像信号をＤ／Ａ変換部４に出力する。オンスクリーンディスプレイ部（以下では、ＯＳＤ部と称する）１３は、マイコン７から指示された文字や記号等を示す信号を生成し、録再信号処理部３からＤ／Ａ変換部４に出力されるデジタル映像信号に重畳する。
【００３４】
入力回路部８は、装置本体２１の前面パネル２２に設けられた電源キー２４等のキースイッチや、リモートコントローラ（以下では、リモコンと称する）９から送信される赤外線信号を受光する受光ユニット等を備えており、ユーザからの指示が入力されると、入力された指示をマイコン７に出力する。
【００３５】
表示器６は、装置本体２１の前面パネル２２の略中央位置に設けられ、ＤＶＤ１１の再生時では、再生位置を示す時間情報、等が表示される。また、ＤＶＤ１１にデータ（映像音声情報）を記録するときには、記録時間や記録モードが表示される。
【００３６】
マイコン７は、ＤＶＤレコーダとしての主要動作を制御する。すなわち、リモコン９等に入力されたユーザの指示に従い、チューナ部１が受信するチャンネルを制御する。また、その機能の一部により構成された書読制御手段１５によって、チューナ部１が受信した商用放送を、映像音声情報（データ）に変換してＤＶＤ１１に記録する。また、ＤＶＤ１１に記録された映像音声情報（データ）を再生してテレビ受像機１９に表示する。また、ＤＶＤ１１のリードイン領域に記録されたディスク情報を読み取り、内部に記憶する。
【００３７】
なお、書読制御手段１５は、データの書き換えとなるときには、フォーマットされたＤＶＤ１１に書き換え用のデータを記録するようになっている。
【００３８】
また、マイコン７は、また、機能の一部によって、フォーマット手段１６、カウンタ更新手段１７、および、情報表示手段１８を構成しており、フォーマット手段１６は、ディスクドライブ部５を制御することによって、ＤＶＤ１１のフォーマットを行う。カウンタ更新手段１７は、フォーマット手段１６がＤＶＤ１１のフォーマットを行う毎に、ＤＶＤ１１の所定領域に設けられたフォーマットカウンタ（後に詳述する）の値を更新する。
【００３９】
情報表示手段１８は、ＤＶＤ１１の記録内容の表示を指示されたときには、タイトルや記録日時や記録モード等の、ＤＶＤ１１に記録された映像音声情報（データ）の内容を示す情報をテレビ受像機１９に表示する。また、このときには、フォーマットカウンタの値もテレビ受像機１９に表示する。
【００４０】
また、情報表示手段１８は、ＤＶＤ１１への映像音声情報（データ）の記録となるときには、記録中の映像音声が表示されたテレビ受像機１９にフォーマットカウンタの値を表示する。また、同時に、表示器６にもフォーマットカウンタの値（図２の２８により示す）を表示する。
【００４１】
また、情報表示手段１８は、テレビ受像機１９にフォーマットカウンタの値を表示するときには、ＤＶＤ１１の書き換え可能回数（ＤＶＤ−ＲＷの場合では１０００回）とフォーマットカウンタの値との比率に基づいて、ＤＶＤ１１の交換の目安を示すメッセージ（後に詳述する）も、併せてテレビ受像機１９に表示する。
【００４２】
図５は、光ディスクの内周側に設けられた領域に記録される情報の構成を示す説明図、図６は、ＲＭＤ（Ｒｅｃｏｒｄｉｎｇ  Ｍａｎａｇｅｍｅｎｔ  Ｄａｔａ）内の情報の構成を示す説明図である。必要に応じて同図を参照しつつ、フォーマットカウンタが設けられた領域について説明する。
【００４３】
光ディスク（ＤＶＤ−ＲＷ等）１１の内周側には、図５（Ａ）に示したように、Ｒ−ｉｎｆｏｒｍａｔｉｏｎ  Ａｒｅａが設けられており、このＲ−ｉｎｆｏｒｍａｔｉｏｎ  Ａｒｅａは、同図（Ｂ）に示したように、ＰＣＡ（Ｐｏｗｅｒ  Ｃａｒｉｂｒａｔｉｏｎ  Ａｒｅａ）とＲＭＡ（Ｒｅｃｏｒｄｉｎｇ  Ｍａｎａｇｅｍｅｎｔ  Ａｒｅａ）とにより構成されている。  そして、ＲＭＡには、同図（Ｃ）に示したように、ＲＭＡ−Ｌｅａｄ−ｉｎと複数のＲＭＤとが記録されるようになっている。
【００４４】
なお、ＲＭＤには、Ｆｏｒｍａｔ１からＦｏｒｍａｔ３までの３種のＲＭＤがあり、ＤＶＤ−ＲＷの場合では、Ｆｏｒｍａｔ２  ＲＭＤと、Ｆｏｒｍａｔ３  ＲＭＤとの２種のＲＭＤが使用されるようになっている。そして、ＲＭＤのそれぞれには、同図（Ｄ）に示したように、Ｆｉｅｌｄ０〜Ｆｉｅｌｄ１４の１５のＦｉｅｌｄが設けられている。
【００４５】
図６は、Ｆｏｒｍａｔ２  ＲＭＤにおけるＦｉｅｌｄ１の詳細な構成を示しており、本発明に用いるフォーマットカウンタは、１４バイト目から１５バイト目までの２バイトを使用するようになっている。なお、１４バイト目から１５バイト目の２バイトは、規格上では未定義の領域となっている。このため、フォーマットカウンタとして１４バイト目から１５バイト目の２バイトを使用するときにも、定義されたその他の情報を破壊することは防止されることになる。
【００４６】
また、ＤＶＤ１１からのディスク情報の読み取りは、ＲＭＤを読み取ることによって行われる。従って、ディスク情報の読み取りを行うのみで、フォーマットカウンタの値が読み取られることになる。また、ディスク情報（値を更新されたフォーマットカウンタを含む）を示すＲＭＤをＤＶＤ１１に書き込むのみで、ＤＶＤ１１のフォーマットカウンタの値が更新される。このため、フォーマットカウンタの読み取りやフォーマットカウンタの値の更新のための専用のコマンドを用意する必要がなく、フォーマットカウンタを用いない制御において使用されるコマンドを用いるのみで、フォーマットカウンタの値の読み取りや値の更新を行うことができる。
【００４７】
図７、図８は、実施形態の主要動作を示すフローチャートである。必要に応じて同図を参照しつつ、実施形態の動作を説明する。
【００４８】
ＤＶＤ（例えば、ＤＶＤ−ＲＷ）１１をトレイ（図２の２３により示す）に載置した後、トレイ２３を収納位置に移動させると（ステップＳ１）、マイコン７は、ディスクドライブ部５と録再信号処理部３とを制御することによって、ＲＭＡに記憶されたディスク情報を読み取り、内部に記憶する。なお、このときに読み取られ、記憶されたディスク情報には、フォーマットカウンタの値（新品のＤＶＤ１１のフォーマットカウンタの初期値は０である）も含まれている（ステップＳ２）。そして後、リモコン９等に動作の指示が入力されるのを待つ（ステップＳ３）。
【００４９】
入力された指示がフォーマットである場合、フォーマット手段１６は、ディスクドライブ部５を制御することによって、ＤＶＤ１１のフォーマットを行う（ステップＳ４，Ｓ５）。そして、フォーマットが完了すると、カウンタ更新手段１７は、ＤＶＤ１１から読み出され、マイコン７に記憶されていたフォーマットカウンタの値を１つだけ増加させる（ステップＳ６）。そして後、フォーマットが行われたことを示すディスク情報をＤＶＤ１１に書き込む。このとき、ＤＶＤ１１に書き込まれるディスク情報には、値が１つ増加されたフォーマットカウンタが含まれているので、ＤＶＤ１１に記録されるフォーマットカウンタの値は、フォーマットを行う前と比するときには、値が１つ増加している（ステップＳ７）。
【００５０】
一方、ステップＳ３において入力された指示が、ＤＶＤ１１に記録された映像音声情報（データ）の内容表示の指示であるときには、動作は、ステップＳ４からステップＳ１１，Ｓ１２と移行し、ＤＶＤ１１から、記録内容を示す情報（番組のタイトル、記録の日時、記録モード、等を示す情報）が読み取られる。情報表示手段１８は、これらの情報に基づき、ＯＳＤ部１３を制御することによって、図３に示したように、ＤＶＤ１１に記録された映像音声情報のタイトルをテレビ受像機１９に表示する。また、タイトルのそれぞれ毎に、記録の日時と記録モードとを表示する。また、ＤＶＤ１１から読み取って記憶していたフォーマットカウンタの値を表示する（ステップＳ１３）。
【００５１】
なお、このときのフォーマットカウンタの値については、ＤＶＤ１１の規格における書き換え可能回数（ＤＶＤ１１がＤＶＤ−ＲＷであるときには、この値は１０００となる）を分母とし、フォーマットカウンタの値を分子とする分数として表示する。このため、現在の書き換え回数（フォーマットカウンタの値）が、交換が必要となる書き換え回数に対して、どの程度の比率となっているのかを容易に把握することができるようになっている。また、交換が必要かどうかの目安を示すメッセージも、併せて表示する（ステップＳ１４）。
【００５２】
図９は、ＤＶＤ１１が、規格上の書き換え可能回数が１０００回であるＤＶＤ−ＲＷとなる場合の、フォーマットカウンタの値と表示されるメッセージとの関係を示している。すなわち、フォーマットカウンタの値が３００以下であるときには、書き換え可能回数の上限に対して十分な余裕があることから、交換は不必要であることを示すメッセージが表示される。また、フォーマットカウンタの値が３０１〜６００の範囲となるときには、交換が、より安全であることを示すメッセージが表示される。また、６０１〜１０００の範囲となるときには、交換を薦めるメッセージが表示され、１０００回を超えるときには、交換の必要を示すメッセージが表示される。
【００５３】
一方、ステップＳ３において入力された指示が、チューナ部１が受信する商用放送の録画の指示であるときには、書読制御手段１５は、チューナ部１が受信した商用放送を示す映像音声情報を、ディスクドライブ部５を介して、ＤＶＤ１１に記録する動作を開始する。また、記録している映像音声をテレビ受像機１９に表示する（ステップＳ２１，Ｓ２２）。
【００５４】
また、記録を開始した後には、情報表示手段１８は、前面パネル２２に設けられた表示器６に、フォーマットカウンタの値（図２の２８により示す）を表示する（ステップＳ２３）。また、情報表示手段１８は、現在のモードが、記録中にテレビ受像機１９にフォーマットカウンタの値を表示する表示モードなのか、あるいは、記録中であっても、テレビ受像機１９にはフォーマットカウンタの値を表示しない非表示モードなのかを調べる。そして、表示モードであるときには、図４に示したように、記録中の映像が表示されたテレビ受像機１９に、フォーマットカウンタの値と、交換の目安となるメッセージとを表示する（ステップＳ２４〜Ｓ２６）。一方、ステップＳ２４において、非表示モードであることが判明したときには、テレビ受像機１９へのフォーマットカウンタの値の表示を取り止める。
【００５５】
なお、ステップＳ３において入力された指示が、その他の動作の指示となるときには、入力された指示に対応する動作が実行される（ステップＳ２１，Ｓ２７）。
【００５６】
なお、本発明は上記実施形態に限定されず、交換の目安となるメッセージについては、その他の表現とすることができる。また、フォーマットカウンタの値の範囲の区切りについても、同様に、その他の区切り方とすることができる。
【００５７】
また、フォーマットカウンタを設ける領域については、ＲＭＤの未定義のその他の領域とすることができる。
【図面の簡単な説明】
【００５８】
【図１】本発明に係る光ディスク装置の一実施形態の電気的構成を示すブロック線図である。
【図２】装置本体の前面パネルの様子を示す説明図である。
【図３】光ディスクの記録内容を示す情報とフォーマットカウンタの値とが表示されたテレビ受像機の画面を示す説明図である。
【図４】光ディスクに記録される映像とフォーマットカウンタの値とが表示されたテレビ受像機の画面を示す説明図である。
【図５】ＤＶＤの内周側に設けられた領域に記録される情報の構成を示す説明図である。
【図６】ＲＭＤのＦｉｅｌｄ１に記録される情報を示す説明図である。
【図７】実施形態の主要動作を示すフローチャートである。
【図８】実施形態の主要動作を示すフローチャートである。
【図９】フォーマットカウンタの値と表示されるメッセージとの関係を示す説明図である。
【符号の説明】
【００５９】
５  ディスクドライブ部
６  表示器
１１  ＤＶＤ（光ディスク）
１５  書読制御手段
１６  フォーマット手段
１７  カウンタ更新手段
１９  テレビ受像機（表示装置）
２１  装置本体
２２  前面パネル
２８  フォーマットカウンタの値
Ｓ６，Ｓ７  フォーマットカウンタの値を更新するステップ
Ｓ１３  表示装置にフォーマットカウンタの値を表示するステップ
Ｓ１４  交換の目安を示すメッセージを表示するステップ
Ｓ２３  表示器にフォーマットカウンタの値を表示するステップ
Ｓ２５  表示装置にフォーマットカウンタの値を表示するステップ
Ｓ２６  交換の目安を示すメッセージを表示するステップ
【図１】
2006085760.tif 000003
【図２】
2006085760.tif 000004
【図３】
2006085760.tif 000005
【図４】
2006085760.tif 000006
【図５】
2006085760.tif 000007
【図６】
2006085760.tif 000008
【図７】
2006085760.tif 000009
【図８】
2006085760.tif 000010
【図９】
2006085760.tif 000011